(57)【要約】【課題】快適に使用できる枕クッションと座席を提供する。【解決手段】座席Ｉは、背もたれ部Ｊが設けられ、背もたれ部Ｊは一端が座席Ｉの天面の端部に連結し、他端が座席Ｉの天面より外部に延びている。枕クッションは、背もたれ部Ｊの他端に設けられている。枕クッションは、本体Ａを有し、本体Ａは頭受け部Ｂと収容部Ｃと首受け部Ｄを有する。頭受け部Ｂは、本体Ａの天面と正面に凹んで設けられ、一端が本体Ａの天面に延び、他端が本体Ａの正面に延びている。収容部Ｃは、本体Ａの正面の頭受け部Ｂの両側に凹んで設けられている。首受け部Ｄは、本体Ａの正面に凹んで設けられ、一端が頭受け部Ｂの他端に連結し、他端が本体Ａの正面の本体Ａの裏側の一端に設けられている。【選択図】図５
0003133753.tif 000002
【実用新案登録請求の範囲】
【請求項１】
頭受け部と、収容部と、首受け部とを有する本体を備え、
頭受け部は、前記本体の天面と正面に凹んで設けられ、前記頭受け部の一端は前記本体の天面に延び、他端は前記本体の正面に延び、
収容部は、前記本体の正面に備えられている前記頭受け部の両側に凹んで設けられ、
首受け部は、本体の正面に凹んで設けられ、前記首受け部の一端は前記頭受け部の他端に連結し、前記首受け部の他端は前記本体の正面の前記本体の裏側の一端に設けられていることを特徴とする枕クッション。
【請求項２】
前記本体は、さらに肩受け部が凹んで設けられ、前記肩受け部は前記本体の正面と前記本体の底面の接続場所に凹んで設けられ、前記肩受け部の一端は前記首受け部の他端に連結し、前記肩受け部は前記本体の底面の付近場所に設けられていることを特徴とする請求項１記載の枕クッション。
【請求項３】
前記本体に圧力解放部が設けられ、前記圧力解放部は一端が前記頭受け部の天面の接続場所に設けられ、他端が前記頭受け部を介して前記首受け部の他端の接続場所に延びていることを特徴とする請求項２記載の枕クッション。
【請求項４】
前記圧力解放部は、複数の溝より構成され、前記溝は互いに平行して前記圧力解放部の一端から前記圧力解放部の他端に延びていることを特徴とする請求項３記載の枕クッション。
【請求項５】
前記頭受け部の底面の凹み場所は、前記首受け部に対して前記本体に近づいていることを特徴とする請求項４記載の枕クッション。
【請求項６】
前記頭受け部、前記首受け部及び前記肩受け部は、前記圧力解放部の両側の表面に複数の突起塊が設けられていることを特徴とする請求項５記載の枕クッション。
【請求項７】
背もたれ部が設けられ、前記背もたれ部は一端が座席本体の天面の端部に連結し、他端が前記座席本体の天面より外部に延び、
枕クッションは前記背もたれ部の他端に設けられていることを特徴とする座席。
【請求項８】
前記枕クッションは、本体を有し、
前記本体は、頭受け部、収容部、及び首受け部を有し、
頭受け部は、前記本体の天面と正面に凹んで設けられ、前記頭受け部は一端が前記本体の天面に延び、他端が前記本体の正面に延び、
収容部は、前記本体の正面に備えられている前記頭受け部の両側に凹んで設けられ、
首受け部は、本体の正面に凹んで設けられ、前記首受け部の一端は前記頭受け部の他端に連結し、前記首受け部の他端は前記本体の正面の前記本体の裏側の一端に設けられていることを特徴とする請求項７記載の座席。
【請求項９】
前記本体は、さらに肩受け部が凹んで設けられ、前記肩受け部は前記本体の正面と前記本体の底面の接続場所に凹んで設けられ、前記肩受け部の一端は前記首受け部の他端に連結し、前記肩受け部は前記本体の底面の付近場所に設けられていることを特徴とする請求項８記載の座席。
【請求項１０】
前記本体は、圧力解放部が設けられ、前記圧力解放部は一端が前記頭受け部の天面の接続場所に設けられ、他端が前記頭受け部を介して前記首受け部の他端の接続場所に延びていることを特徴とする請求項９記載の座席。
【請求項１１】
前記圧力解放部は、複数の溝より構成され、前記溝は互いに平行して前記圧力解放部の一端から前記圧力解放部の他端に延びていることを特徴とする請求項１０記載の座席。
【請求項１２】
前記頭受け部の底面の凹み場所は、前記首受け部に対して前記本体に近づいていることを特徴とする請求項１１記載の座席。
【請求項１３】
前記頭受け部、前記首受け部及び前記肩受け部は、前記圧力解放部の両側の表面に複数の突起塊が設けられていることを特徴とする請求項１２記載の座席。
【考案の詳細な説明】
【技術分野】
【０００１】
本考案は、枕クッション、特に、本体を有し、該本体は頭受け部、収容部及び首受け部より構成され、利用者の頭部と頸部が該本体に寄り掛かった後、快適な囲み、支え及び極めて良い効果が得られる。
【背景技術】
【０００２】
我々の現在の生活環境は、多元化社会より構成された斬新かつ絶えず変化と創造の時代である。我々の日常生活に関連する様々な人間親和性の商品は、次から次へと市販されている。これらの製品は、我々の生活上で便利をもたらしている。特に、日常必需品が広く応用されているため、人間は日常必需品に対する要求もますます高度化しつつあり、これからの日常必需品は便利でより有効なサービスを提供し、人間親和性が配慮された設計はその国の生活レベル並びに生産技術レベルの優位性を測る指標の一つである。
日常必需品が絶えず創造されるなか、ここに枕クッションの一例を取り上げる。人間は枕クッションに対して高い通気性と靠れの快適性を追求するほか、その外観並びに全体の設計も人間工学設計を発展の主軸とし、使用場面及び多様化の設計に加えて、市場シェアの向上を図る。一方、人間工学設計は必須の趨勢となっている。
【０００３】
枕クッションは、使用場面及び多様化設計については遊覧バス又は飛行機の客室内部などで、交通工具の椅子の枕クッションは旅行者に快適な旅を提供するため、図１に示す公知技術の座席の枕クッションによると、本体１及び二つの延伸体１２を有し、該二つの延伸体１２は該本体１の側面において両端の付近場所に設ける。該二つの延伸体１２は該本体１に背向いた一端を互いに接近させ、該枕クッションをＵ字形に近い形状に形成し、利用者の頭部が靠れる。これにより、利用者は長時間該本体１に靠れることができるほか、利用者頭部の両側は該二つの延伸体１２に寄り掛かって支えられることにより、座席の快適性が向上する。
【考案の開示】
【考案が解決しようとする課題】
【０００４】
しかしながら、該二つの延伸体１２の距離が固定されているため、頭部が該本体１に寄り掛かるとき、頭部の大きさに合わせて支えることができない。また、頭部が該本体１に寄り掛かった後は、頭をいずれかの方向に振り向けて、該二つの延伸体１２の一端に寄り掛からなければならない。一方、長時間にわたる姿勢を固定したまま又は姿勢の間違いにより、頭部と頸椎部を圧迫し、体の軟組織の怪我により、だるさ又は痛みを生じる。よって、人間頭部の大きさに合わせて、安定に支えて、筋骨をリラックスさせ、疲労を回復し、確実に圧力を解放する機能は消費者にとって喜ばしい知らせである。
本考案人は、公知技術の座席に装着する枕クッションが支える頭部の大きさに合わせることができず、頭部が該本体に靠れるとき、頭を片側に振り向けなければならないなどの課題に鑑みて、長期の努力と実験を重ねた結果、本考案の一種の枕クッションと椅子を考案した。
【課題を解決するための手段】
【０００５】
本体は、頭受け部、収容部及び首受け部を有し、該頭受け部は該本体の天面と正面の接続場所に凹んで設ける。該頭受け部の一端は該本体の天面に延ばし、他端は該本体の正面に延ばす。該収容部は該本体の正面に備えられている頭受け部の両側に凹んで設け、該首受け部は該本体の正面に凹んで設ける。該首受け部の一端は該頭受け部の他端に接続し、該首受け部の他端は該本体正面の付近場所に該本体天面の一端を背向いて設ける。これにより、頭が該本体に寄り掛かった後、首を振り向ける必要がなく、頭部の大きさに合わせて支えることができ、該本体により頭部の両側を包囲し、支えることができる一種の枕クッションを提供することが本考案の主な目的である。
【０００６】
座席と本体を有し、該座席に背もたれ部を設け、該背もたれ部の一端は該座席天面の端部に連結し、他端は該座席の天面より外部に延ばし、該本体は該背もたれ部の他端に設ける。これにより、座席は該本体と一体化して、利用者が該座席に座り掛けた後、極めて良いフィット感及び通気性の快適性を有する一種の枕クッションを備えた座席を提供することが本考案のもう一つの目的である。
【考案を実施するための最良の形態】
【０００７】
本考案の目的、形状、構造、装置、特徴及びその効果のさらなる認識と理解を図るため、以下の通り実施例と図面を合わせて、その詳細を説明する。
本考案の一実施例による枕クッションは、図２に示す通り、本体Ａを有し、該本体Ａは頭受け部Ｂ、収容部Ｃ及び首受け部Ｄが含まれる。該頭受け部Ｂは、該本体Ａ天面と正面との接続場所に凹んで設け、該頭受け部Ｂの一端は該本体Ａの天面に延ばし、他端は該本体Ａの正面に延ばす。該収容部Ｃは該本体Ａ正面の頭受け部Ｂの両側に凹んで設け、該首受け部Ｄは該本体Ａの正面に凹んで設ける。該首受け部Ｄの一端は該頭受け部Ｂの他端に接続し、該首受け部Ｄの他端は該本体Ａの正面の該本体Ａ天面の一端の裏側に設ける。該頭受け部Ｂ、該収容部Ｃ及び該首受け部Ｄを互いに連結する。
【０００８】
頭部が該本体Ａに靠れると、該頭受け部Ｂは利用者の頭部の大きさに合わせて頭部の両側を包囲して支える快適性を有するほか、耳は該収容部Ｃの中に納められて、圧迫により曲げられることがなく、良い聴覚を維持できる。該首受け部Ｄは利用者の首部の太さに合わせてフィットの快適感を提供する。よって、利用者の頭部と頸部はそれぞれ該頭受け部Ｂと該首受け部Ｄに靠れて、最適な圧力解放効果が得られる。
【０００９】
図２に示す本考案の一実施例において、該本体Ａにはさらに肩受け部Ｅを設け、該肩受け部Ｅは該本体Ａの正面と該本体Ａ底面との接続場所に凹んで設ける。該肩受け部Ｅの一端は該首受け部Ｄの他端に連結し、該肩受け部Ｅの他端は該本体Ａ底面の近い場所に設ける。利用者が該本体Ａに靠れるとき、首部に快適感を帯びた支え効果があるほか、肩部は人間工学設計の円弧部により該肩受け部Ｅ位置に靠れるため、肩部に集中していた重量を開放する。
【００１０】
図３に示す該実施例において、該本体Ａにはさらに圧力解放部Ｆを設け、該圧力解放部Ｆの一端は該頭受け部Ｂに設けて、もう一端は該本体Ａ天面の接続場所に設ける。他端は該頭受け部Ｂより延ばして、該首受け部Ｄの他端に接続する。これにより、頭部が該頭受け部Ｂ及び該首受け部Ｄに靠れた後、肌は直接該圧力解放部Ｆと接触し、体の重量を確実に解放し、該圧力解放部Ｆにより靠れる快適性を向上できる。
【００１１】
図３に示す本実施例において、該圧力解放部Ｆは複数の溝Ｇより構成する。該溝Ｇ同士は、平行した状態で該圧力解放部Ｆの一端から該圧力解放部Ｆの他端に延ばし、該溝Ｇは利用者の頭部と頸部が該圧力解放部Ｆに接触する面積に合わせて、利用者の頭部と頸部の両側を弾性的に延ばして、利用者の頭部、頸部及び肩部の通気性を向上する。
図４に示す本実施例において、該頭受け部Ｂ及び該肩受け部Ｅの凹み部は該首受け部Ｄより該本体Ａの背面に近い。なお、人間工学設計により利用者の頭部、頸部及び肩部が該本体Ａに靠れるとき、フィットの快適感が得られる。
【００１２】
図３に示す本実施例において、該頭受け部Ｂ、該首受け部Ｄ及び該肩受け部Ｅは該圧力解放部Ｆ両側の表面に複数の突起塊Ｈを設け、利用者の頭と肩部が当該突起塊Ｈに靠れるとき、当該突起塊Ｈが肌と接触することにより、通気性とマッサージ効果を有する。
本考案の一実施例の枕クッションを備えた座席は、図５に示す通り、座席Ｉと本体Ａを有する。そのうち、該座席Ｉに背もたれ部Ｊを設け、該背もたれ部Ｊの一端は該座席Ｉ天面の一端に連結し、他端は該座椅Ｉの天面より外部に延ばし、該本体Ａは該背もたれ部Ｊの他端に設ける。利用者が該座席Ｉに座って掛けたとき、該本体Ａにより頭部に安定した支えを提供し、かつフィット及び通気性を持った快適感が得られる。
【００１３】
本考案の一実施例において、図２に示す通り、該本体Ａは頭受け部Ｂ、収容部Ｃ及び首受け部Ｄが含まれる。該頭受け部Ｂは該本体Ａ天面と正面との接続場所に凹んで設け、該頭受け部Ｂの一端は該本体Ａの天面に延ばし、他端は該本体Ａの正面に延ばす。該収容部Ｃは該本体Ａ正面の頭受け部Ｂの両側に凹んで設け、該首受け部Ｄは該本体Ａの正面に凹んで設ける。該首受け部Ｄの一端は該頭受け部Ｂの他端に接続し、該首受け部Ｄの他端は該本体Ａの正面の該本体Ａ天面の一端の裏側に設ける。該頭受け部Ｂ、該収容部Ｃ及び該首受け部Ｄを互いに連結する。
【００１４】
頭部が該本体Ａに靠れて、該頭受け部Ｂは利用者頭部の大きさに合わせて、頭部の両側を包囲して支える快適性を有するほか、耳は該収容部Ｃの中に納められて、圧迫により曲げられることがなく、良い聴覚を維持できる。該首受け部Ｄは利用者の首部の太さに合わせてフィットの快適感を提供する。よって、利用者の頭部と頸部はそれぞれ該頭受け部Ｂと該首受け部Ｄに靠れて、最適な圧力解放効果が得られる。
【００１５】
図２に示す本考案の一実施例において、該本体Ａにはさらに肩受け部Ｅを設け、該肩受け部Ｅは該本体Ａの正面と該本体Ａ底面との接続場所に凹んで設ける。該肩受け部Ｅの一端は該首受け部Ｄの他端に連結し、該肩受け部Ｅの他端は該本体Ａ底面の近い場所に設ける。利用者が該本体Ａに靠れるとき、首部に快適感を帯びた支え効果があるほか、肩部は人間工学設計の円弧部により該肩受け部Ｅ位置に靠れるため、肩部に集中していた重量を開放する。
【００１６】
図３に示す本実施例において、該本体Ａにはさらに圧力解放部Ｆを設け、該圧力解放部Ｆの一端は該頭受け部Ｂに設けて、もう一端は該本体Ａ天面の接続場所に設ける。他端は該頭受け部Ｂより延ばして、該首受け部Ｄの他端に接続する。これにより、頭部が該頭受け部Ｂ及び該首受け部Ｄに靠れた後、肌は直接該圧力解放部Ｆと接触し、体の重量を確実に解放し、該圧力解放部Ｆにより靠れる快適性を向上できる。
図３に示す該実施例において、該圧力解放部Ｆは複数の溝Ｇより構成する。該溝Ｇ同士は平行した状態で、該圧力解放部Ｆの一端から該圧力解放部Ｆの他端に延ばし、該溝Ｇは、利用者の頭部と頸部が該圧力解放部Ｆに接触する面積に合わせて利用者の頭部と頸部の両側を弾性的に延ばして、利用者の頭部、頸部及び肩部の通気性を向上する。
【００１７】
図４に示す本実施例において、該頭受け部Ｂ及び該肩受け部Ｅの凹み部は該首受け部Ｄより該本体Ａの背面に近い。なお、人間工学設計により利用者の頭部、頸部及び肩部が該本体Ａに靠れるとき、フィットの快適感が得られる。
図３に示す本実施例において、該頭受け部Ｂ、該首受け部Ｄ及び該肩受け部Ｅは該圧力解放部Ｆ両側の表面に複数の突起塊Ｈを設け、利用者の頭と肩部が当該突起塊Ｈに靠れるとき、当該突起塊Ｈは肌と接触することにより、通気性とマッサージ効果を有する。
【図面の簡単な説明】
【００１８】
【図１】公知技術の座席の枕クッションの斜視図である。
【図２】本考案の一実施例による枕クッションを示す斜視図である。
【図３】本考案の一実施例による枕クッションを示す模式図である。
【図４】図２をα−α線で切断した断面図である。
【図５】本考案の一実施例による枕クッションと座席を示す斜視図である。
【符号の説明】
【００１９】
Ａ：本体、Ｂ：頭受け部、Ｃ：収容部、Ｄ：首受け部、Ｅ：肩受け部、Ｆ：圧力解放部、Ｇ：溝、Ｈ：突起塊、Ｉ：座席、Ｊ：背もたれ部
【図１】
0003133753.tif 000003
【図２】
0003133753.tif 000004
【図３】
0003133753.tif 000005
【図４】
0003133753.tif 000006
【図５】
0003133753.tif 000007
【手続補正書】
【提出日】平成19年5月17日(2007.5.17)
【手続補正１】
【補正対象書類名】実用新案登録請求の範囲
【補正対象項目名】全文
【補正方法】変更
【補正の内容】
【実用新案登録請求の範囲】
【請求項１】
頭受け部と、収容部と、首受け部とを有する本体を備え、
頭受け部は、前記本体の天面と正面に凹んで設けられ、前記頭受け部の一端は前記本体の天面に延び、他端は前記本体の正面に延び、
収容部は、前記本体の正面に備えられている前記頭受け部の両側に凹んで設けられ、
首受け部は、本体の正面に凹んで設けられ、前記首受け部の一端は前記頭受け部の他端に連結し、前記首受け部の他端は前記本体の正面の前記本体の裏側の一端に設けられていることを特徴とする枕クッション。
【請求項２】
前記本体は、さらに肩受け部が凹んで設けられ、前記肩受け部は前記本体の正面と前記本体の底面の接続場所に凹んで設けられ、前記肩受け部の一端は前記首受け部の他端に連結し、前記肩受け部は前記本体の底面の付近場所に設けられていることを特徴とする請求項１記載の枕クッション。
【請求項３】
前記本体に圧力解放部が設けられ、前記圧力解放部は一端が前記頭受け部の天面の接続場所に設けられ、他端が前記頭受け部を介して前記首受け部の他端の接続場所に延びていることを特徴とする請求項２記載の枕クッション。
【請求項４】
前記圧力解放部は、複数の溝より構成され、前記溝は互いに平行して前記圧力解放部の一端から前記圧力解放部の他端に延びていることを特徴とする請求項３記載の枕クッション。
【請求項５】
前記頭受け部の底面の凹み場所は、前記首受け部に対して前記本体に近づいていることを特徴とする請求項４記載の枕クッション。
【請求項６】
前記頭受け部、前記首受け部及び前記肩受け部は、前記圧力解放部の両側の表面に複数の突起塊が設けられていることを特徴とする請求項５記載の枕クッション。
【手続補正２】
【補正対象書類名】明細書
【補正対象項目名】０００６
【補正方法】削除
【補正の内容】
【手続補正３】
【補正対象書類名】明細書
【補正対象項目名】００１２
【補正方法】変更
【補正の内容】
【００１２】
図３に示す本実施例において、該頭受け部Ｂ、該首受け部Ｄ及び該肩受け部Ｅは該圧力解放部Ｆ両側の表面に複数の突起塊Ｈを設け、利用者の頭と肩部が当該突起塊Ｈに靠れるとき、当該突起塊Ｈが肌と接触することにより、通気性とマッサージ効果を有する。
【手続補正４】
【補正対象書類名】明細書
【補正対象項目名】００１３
【補正方法】削除
【補正の内容】
【手続補正５】
【補正対象書類名】明細書
【補正対象項目名】００１４
【補正方法】削除
【補正の内容】
【手続補正６】
【補正対象書類名】明細書
【補正対象項目名】００１５
【補正方法】削除
【補正の内容】
【手続補正７】
【補正対象書類名】明細書
【補正対象項目名】００１６
【補正方法】削除
【補正の内容】
【手続補正８】
【補正対象書類名】明細書
【補正対象項目名】００１７
【補正方法】削除
【補正の内容】
【手続補正９】
【補正対象書類名】明細書
【補正対象項目名】００１８
【補正方法】変更
【補正の内容】
【００１８】
【図１】公知技術の座席の枕クッションの斜視図である。
【図２】本考案の一実施例による枕クッションを示す斜視図である。
【図３】本考案の一実施例による枕クッションを示す模式図である。
【図４】図２をα−α線で切断した断面図である。
【手続補正１０】
【補正対象書類名】明細書
【補正対象項目名】００１９
【補正方法】変更
【補正の内容】
【００１９】
Ａ：本体、Ｂ：頭受け部、Ｃ：収容部、Ｄ：首受け部、Ｅ：肩受け部、Ｆ：圧力解放部、Ｇ：溝、Ｈ：突起塊
【手続補正１１】
【補正対象書類名】図面
【補正対象項目名】図５
【補正方法】削除
【補正の内容】